(57)【要約】【課題】冷却ファンにホルダを組み付ける際の作業性を向上させること。【解決手段】コーナーユニット１の開閉部１０を開放位置にしておき、アングル部４の内面及び閉塞部５の内面を隅部２４の外面に当接させる。次に、開閉部１０を閉塞位置に変位させ、弾性係脱片１３の係止用開口１５を係止突起１４に係止させることで閉塞位置を維持させる。冷却ファン１９の隅部２４に取り付けたコーナーユニット１の取付基部７をビス２６にて筐体等に固定する。コーナーユニット１にライニングされた防振材１７、１８が冷却ファン１９の振動を防止する。先にコーナーユニット１を冷却ファン１９に取り付けて、そのコーナーユニット１を筐体等に固定することで冷却ファン１９を装着する構成であるから、コーナーユニット１を冷却ファン１９に組み付ける際に防振材がめくれる等の不具合は生じず、作業性は良好になる。【選択図】  図４
2010127307.tif 000002
【特許請求の範囲】
【請求項１】
互いが垂直に配される２枚の壁部を含んで構成されて端面形状がＬ字状をなすアングル部と、
前記アングル部の一方の端部において前記２枚の壁部に垂直に両壁部間に配された閉塞部と、
ヒンジ構造によって前記アングル部の他方の端部に連接されて、前記閉塞部と対面状になる閉塞位置と、Ｌ字状の端面から離脱した開放位置とに可変の開閉部と、
前記開放位置から変位して前記閉塞位置になった前記開閉部を係止して前記閉塞位置を維持させる係止手段と
が設けられている硬質樹脂部材と、
前記アングル部の内面、前記閉塞部の内面、及び前記開閉部の閉塞位置になったときに前記閉塞部と対面する面にライニングされた防振材と
を備える
ことを特徴とする直方体状物体ホルダ用のコーナーユニット。
【請求項２】
前記アングル部の前記閉塞部が設けられている側の端部に連接されて取り付け相手に取り付けられる取付基部を備えたことを特徴とする請求項１記載のコーナーユニット。
【請求項３】
請求項１又は２記載のコーナーユニットを２〜４個組み合わせて構成される
ことを特徴とする直方体状物体ホルダ。
【請求項４】
少なくとも２つの前記コーナーユニットが連結されている
ことを特徴とする請求項３記載の直方体状物体ホルダ。
【請求項５】
４つの前記コーナーユニットが互いに連結されている
ことを特徴とする請求項４記載の直方体状物体ホルダ。
【発明の詳細な説明】
【技術分野】
【０００１】
本発明は、直方体状物体を筐体等に取り付けるための直方体状物体ホルダの技術分野に属する。
【背景技術】
【０００２】
電子機器などでは、筐体の内部に通風して冷却するための冷却ファンが装備される。
【０００３】
その冷却ファンは、例えば実開平３−３０６００号公報に開示されているように、ブラケット（取付具１５）を用いて筐体（取付け板２）に固定されていた。なお、冷却ファンとブラケットとの間には、エラストマやゴム等の防振材（遮蔽部材１６）が介装される。
【０００４】
また、実開平２−７７５６１号公報に開示されるように、合成樹脂製のピン（軸部９）を用いた係止構造にて冷却ファンを筐体等に取り付ける技術もある。
【特許文献１】実開平３−３０６００号公報
【特許文献２】実開平２−７７５６１号公報
【発明の開示】
【発明が解決しようとする課題】
【０００５】
特許文献１に開示されるようなブラケットの内側に防振材を配置する構成であると、ブラケットを冷却ファンにかぶせる（或いは冷却ファンを押し込む）ようにして、ブラケットを冷却ファンに組み付けることになるが、その際に両者間に配された防振材のめくれ等が生じることがあって作業性に問題があった。
【０００６】
一方、特許文献２に開示されるようなピンによる係止構造では、冷却ファンのメーカーや型式によって取り付け孔の位置が異なると設計変更が必要になる等、寸法や位置関係で制約されるという問題があった。また、ピンによる係止では十分に振動防止できないおそれがあった。
【課題を解決するための手段】
【０００７】
請求項１記載の直方体状物体ホルダ用のコーナーユニットは、
互いが垂直に配される２枚の壁部を含んで構成されて端面形状がＬ字状をなすアングル部と、
前記アングル部の一方の端部において前記２枚の壁部に垂直に両壁部間に配された閉塞部と、
ヒンジ構造によって前記アングル部の他方の端部に連接されて、前記閉塞部と対面状になる閉塞位置と、Ｌ字状の端面から離脱した開放位置とに可変の開閉部と、
前記開放位置から変位して前記閉塞位置になった前記開閉部を係止して前記閉塞位置を維持させる係止手段と
が設けられている硬質樹脂部材と、
前記アングル部の内面、前記閉塞部の内面、及び前記開閉部の閉塞位置になったときに前記閉塞部と対面する面にライニングされた防振材と
を備えることを特徴とする。
【０００８】
請求項１記載のコーナーユニットは、１個のコーナーユニットが略矩形の直方体状物体の１箇所の隅部を保持する構造であるので、直方体状物体の対角に位置する２隅部に対応して少なくとも２個を１組として、好ましくは４個を１組として使用される。つまり、請
求項３記載のように、請求項１又は２記載のコーナーユニットを２〜４個組み合わせて直方体状物体ホルダが構成され、通常は２個又は４個１組で、場合によっては３個１組で直方体状物体ホルダを構成する。
【０００９】
ここでは、直方体状物体の４箇所の隅部に各１個あてでコーナーユニットを配置する場合で説明する。
【００１０】
まず、コーナーユニットの開閉部を開放位置にしておき、アングル部の内側面を直方体状物体の隅部の外面に沿わせるようにして、アングル部の内面及び閉塞部の内面を隅部の外面に当接させる。次に、開閉部を閉塞位置に変位させ、係止手段にて係止させて閉塞位置を維持させる。これにより、直方体状物体ホルダの４隅部それぞれにコーナーユニットが取り付けられた状態になる。
【００１１】
そして、各隅部に取り付けられたコーナーユニットを例えばねじ止めやスナップ止め等の公知の取付手段を用いて取り付け相手に取り付ける。取り付け相手は直方体状物体が装着される電子機器の筐体等である。より具体的には直方体状物体が取り付けられる部材である。
【００１２】
取付手段を用いるために（例えばビスを通したり、スナップを連接するために）、請求項２に記載のように、前記アングル部の前記閉塞部が設けられている側の端部に連接されて取り付け相手に取り付けられる取付基部を備えることができる。
【００１３】
このようにして各コーナーユニットの位置が固定されると、取り付け相手の表面に沿った直方体状物体の移動は４つのアングル部によって規制され、この表面に対して垂直な方向への直方体状物体の移動は閉塞部と閉塞位置の開閉部とによって規制される。つまり、直方体状物体が直方体状物体ホルダによって取り付け相手に装着されたことになる。
【００１４】
その直方体状物体が直方体状物体ホルダに保持された状態では、アングル部の内面、閉塞部の内面、及び開閉部の閉塞位置になったときに閉塞部と対面する面にライニング、すなわち積層された防振材が、直方体状物体の振動を防止する。
【００１５】
このように、先に２〜４個のコーナーユニットを直方体状物体に取り付けておいて、そのコーナーユニットを筐体等に固定することで直方体状物体を装着する構成であるから、コーナーユニットを直方体状物体に組み付ける際に防振材がめくれる等の不具合は生じず、作業性は良好になる。
【００１６】
また、直方体状物体に開設された取り付け孔は使用しないので、例えば冷却ファンのメーカーや型式による取り付け孔の位置変化の影響は受けない。
【００１７】
そして、アングル部の内面、閉塞部の内面、及び開閉部の閉塞位置になったときに閉塞部と対面する面に防振材がライニングされているので、直方体状物体の外形寸法に多少の誤差があっても、直方体状物体が「がたつく」おそれはない。
【００１８】
なお、直方体状物体ホルダにて直方体状物体を保持した後でも、係止手段による係止を解除して開閉部を開放位置にすれば直方体状物体を抜き取ることができる。
【００１９】
ところで、上記のように２〜４個のコーナーユニットを組み合わせて直方体状物体ホルダとして使用されるので、請求項４記載のように少なくとも２つの前記コーナーユニットが連結されている構成を採用することができる。その場合、請求項５記載のように、４つの前記コーナーユニットが互いに連結されている構成にしてもよい。
【発明を実施するための最良の形態】
【００２０】
次に、本発明の実施例等により発明の実施の形態を説明する。なお、本発明は下記の実
施例等に限定されるものではなく、本発明の要旨を逸脱しない範囲でさまざまに実施できることは言うまでもない。
［実施例１］
（コーナーユニット）
図１及び図２に示すように、本実施例の冷却ファンホルダ用のコーナーユニット１は、互いが垂直に配される２枚の壁部２ａ、２ｂを１／４円弧状のアール部３にて連接した構造のアングル部４を備えている。なお、２枚の壁部が２ａ、２ｂ互いが垂直に配されるというのは設計上のことであって、実際の製品ではいわゆる抜きテーパや製造誤差があるし、使用に伴って変形することもあるので、数学的に垂直というわけではない。
【００２１】
アングル部４の端面形状は、図１（ａ）及び（ｇ）に良好に示される通りＬ字状をなしている。
【００２２】
そのアングル部４の下端部（図１（ａ）〜（ｅ）及び（ｇ）にて下側になっている端部）には、２枚の壁部２ａ、２ｂに垂直になる姿勢で両壁部２ａ、２ｂ間に配された閉塞部５が連接されている。閉塞部５はアングル部４の底部となる部材であり、その下面には位置決め用の突起６が設けられている。
【００２３】
アングル部４の一方の壁部（ここでは壁部２ａ）の下端部には舌状の取付基部７が連接されている。取付基部７は壁部２ａの外面に垂直に立設されており、その下面は閉塞部５の下面及び壁部２ａ、２ｂの下面と一連（いわゆる「つらいち」）になっている。取付基部７には通し孔８が設けられており、コーナーユニット１を筐体等に取り付けるときに取付手段としてのビスが通し孔８に挿通される。
【００２４】
一方、アングル部４の上端側は開放されており、アングル部４は直方体の一隅を切り取ったものに相当する形態である。
【００２５】
その上端部においては、アール部３に帯状のヒンジ部９（ヒンジ構造に該当）の一端が連接されている。そして、ヒンジ部９の他端には開閉部１０が連接されている。
【００２６】
開閉部１０はアングル部４の上端面に倣った形状のＬ字部１１と、Ｌ字部１１の内側に連接された三角形状の三角部１２とで構成されていて、図１（ｆ）に良好に示されるようにアングル部４の底面形状と略対称である。
【００２７】
開閉部１０は、ヒンジ部９を屈伸変化させることによって、閉塞部５と対面状になる閉塞位置（図２に示す位置）と、アングル部４の上端面から離脱した開放位置（図１参照）とに変位できる。
【００２８】
Ｌ字部１１は２本の腕状部分を備えているが、それら腕状部分のそれぞれに端面形状が「し」の字状の弾性係脱片１３が連接されている。一方、アングル部４の壁部２ａ、２ｂには、弾性係脱片１３に対応して係止突起１４が設けられている。開閉部１０を開放位置から閉塞位置に変位させると、図２（特に図２（ｂ）に示すように、弾性係脱片１３の係止用開口１５の縁部が係止突起１４に係止される。この係止によって開閉部１０が閉塞位置を維持することになる。すなわち、弾性係脱片１３と係止突起１４とで係止手段が構成されている。
【００２９】
但し、弾性係脱片１３を操作して係止突起１４による係止を解除することができる。そして、この係止を解除すれば、開閉部１０を開放位置へと復帰変位させることができる。
【００３０】
上述したアングル部４、閉塞部５、取付基部７、ヒンジ部９及び開閉部１０からなる部分は硬質合成樹脂（例えばポリエチレン、ポリプロピレン、ナイロン、ＡＢＳ等）による一体成形品であり、硬質樹脂部材に該当する。
【００３１】
そして、アングル部４（壁部２ａ、２ｂ及びアール部３）の内面から閉塞部５の上面にわたっては、その全域に防振材１７（例えばエラストマ、ゴム、ゲル等）がライニングされている。また、開閉部１０の閉塞位置になったときに閉塞部５と対面する面には、三角部１２のほぼ全域及びＬ字部１１の三角部１２との境界に沿った部分に防振材１８（例えばエラストマ、ゴム、ゲル等）がライニングされている。
（冷却ファンホルダの例１）
２個のコーナーユニット１にて構成される冷却ファンホルダの例１を説明する。
【００３２】
図３に示すように、冷却ファン１９のケース２０は、輪郭が正方形状（４つの角はアールに加工されている）の直方体の内部を円筒状にくりぬいてファン収容孔２１となし、４本のスポーク２２にて支持されるモータ支持部２３を設けた構造で、各隅部２４にはピン等を挿通させるための取付孔２５が設けられている。なお、モータ及びファンはファン収容孔２１内に配されるが、それらの図示と説明は省略する。
【００３３】
コーナーユニット１は冷却ファン１９の対角に位置する２箇所の隅部２４に各１個が取り付けられ、それら２個を１組として冷却ファンホルダが構成される。
【００３４】
コーナーユニット１を取り付けるには、まずコーナーユニット１の開閉部１０を開放位置にしておき、アングル部４の内側面を冷却ファン１９の隅部２４の外面に沿わせるようにして、アングル部４の内面及び閉塞部５の内面を隅部２４の外面に当接させる。次に、開閉部１０を閉塞位置に変位させ、弾性係脱片１３の係止用開口１５を係止突起１４に係止させることで閉塞位置を維持させる。
【００３５】
このようにして２個のコーナーユニット１を冷却ファン１９の対角に位置する２箇所の隅部２４に取り付ける。
【００３６】
そして、通し孔８に通したビス２６にて取付基部７を取り付け相手（電子機器の筐体等）に固定する。これにより、取り付け相手の表面に沿った冷却ファン１９の移動は２個のコーナーユニット１のアングル部４によって規制され、この表面に対して垂直な方向への冷却ファン１９の移動は閉塞部５と閉塞位置の開閉部１０とによって規制される。つまり、冷却ファン１９が冷却ファンホルダ（２個のコーナーユニット１）によって取り付け相手である電子機器の筐体等に装着されたことになる。
【００３７】
その冷却ファン１９が冷却ファンホルダに保持された状態では、アングル部４の内面、閉塞部５の内面、及び開閉部１０の閉塞位置になったときに閉塞部５と対面する面にライニングされた防振材１７、１８が、冷却ファン１９の振動を防止する。
【００３８】
このように、先に２個のコーナーユニット１を冷却ファン１９に取り付けておいて、そのコーナーユニット１を筐体等に固定することで冷却ファン１９を装着する構成であるから、コーナーユニット１を冷却ファン１９に組み付ける際に防振材がめくれる等の不具合は生じず、作業性は良好になる。
【００３９】
また、冷却ファン１９に開設された取付孔２５は使用しないので、冷却ファン１９のメーカーや型式による取付孔２５の位置変化の影響は受けない。
【００４０】
そして、アングル部４の内面、閉塞部５の内面、及び開閉部１０の閉塞位置になったときに閉塞部５と対面する面に防振材１７、１８がライニングされているので、冷却ファン１９の外形寸法に多少の誤差があっても、冷却ファン１９が「がたつく」おそれはない。
【００４１】
なお、冷却ファンホルダにて冷却ファン１９を保持した後でも、係止手段による係止を解除して開閉部１０を開放位置にすれば冷却ファン１９を抜き取ることができる。
【００４２】
言うまでもないが、ビス２６を外せばコーナーユニット１と共に冷却ファン１９を筐体等から取り外せるし、その取り外し後にコーナーユニット１を冷却ファン１９から分離す
ることもできる。
（冷却ファンホルダの例２）
上の例１では２個のコーナーユニット１にて構成される冷却ファンホルダの例１を示したが、図４に示すように４個のコーナーユニット１にて冷却ファンホルダを構成することもできる。
【００４３】
冷却ファン１９の４つの隅部２４へのコーナーユニット１の取り付け、その後のコーナーユニット１（すなわち冷却ファン１９）の筐体等への取り付け等は上の例１と同様である。また、コーナーユニット１にて構成される冷却ファンホルダの効果も例１と同様である。但し、４個のコーナーユニット１を使用するので、取り付けが確実になり、バランスが良く、また安定性も向上する。
［実施例２］
図１及び図２に示す例では取付基部７を壁部２ａに連接しているが、これを図５に示すように、他方の壁部２ｂに連接した構成のコーナーユニット１ａにすることもできる。
【００４４】
本実施例のコーナーユニット１ａは、取付基部７を壁部２ｂに連接した点以外は実施例１のコーナーユニット１と同様であるから、共通の部分には実施例１と同符号を付して説明を省略する。
【００４５】
このコーナーユニット１ａを使用して冷却ファン１９を筐体等に取り付ける手順や取り付け構造は、実施例１のコーナーユニット１と同様である。但し、図６に示すように、取付基部７の配置が冷却ファン１９の対角線を挟んでコーナーユニット１（図３参照）とは対称になる。
【００４６】
このように、コーナーユニット１とコーナーユニット１ａとを冷却ファン１９の同じ隅部２４に取り付けたとして、両者の取付基部７の突出位置が逆になるので、取り付け相手（筐体等）の構造に応じてコーナーユニット１とコーナーユニット１ａとを使い分けることができる。また、両者を混用することも可能である。
【００４７】
その他、実施例１と同様の効果がある。
［実施例３］
実施例１、２ではアングル部４と開閉部１０とを連結するヒンジ部９をアール部３に連接しているが、これを壁部２ａ、２ｂの一方に連接した構成も可能である。その一例を実施例３として図７、図８に示す。なお、実施例３は実施例１と共通の部分が多いので、それらについては実施例１と同符号を使用して説明を省略する。
【００４８】
図７に示すように、本実施例のコーナーユニット１ｂにおいては、壁部２ｂの上端部にヒンジ部９ａの一端が連接されている。そのヒンジ部９ａの他端は、Ｌ字部１１の２本の腕状部分の一方（腕状部分１１ａ）に連接されている。
【００４９】
つまり、実施例１、２ではアングル部４の一方の壁部２ｂに設けられていた係止突起１４を撤去して、同じく腕状部分１１ａに設けられていた弾性係脱片１３も撤去して、それによって空いたスペースにヒンジ部９ａを設置したのに相当する構成になっている。
【００５０】
図８に示すように、このコーナーユニット１ｂを使用して冷却ファン１９を筐体等に取り付ける手順や取り付け構造は、実施例１のコーナーユニット１と同様である。そして、実施例１と同様の効果を奏する。
【００５１】
但し、上述したとおり、壁部２ｂの上端部にヒンジ部９ａの一端を連接した構成であり、実施例１、２と比べると係止手段（弾性係脱片１３と係止突起１４の組）が１組少なく
なっているので、構造が単純と言える。
［実施例４］
実施例１〜３ではビスによるねじ止めにて取り付け相手（筐体等）に固定する構成を採用しているが、他の取付手段を使用することもできる。その一例を実施例４として図９、図１０に示す。なお、実施例４は実施例１と共通の部分が多いので、それらについては実施例１と同符号を使用して説明を省略する。
【００５２】
図９に示すように、本実施例のコーナーユニット１ｃにおいては、アングル部４の底部である閉塞部５の下面に矢じり型スナップ２７が設けられている。この矢じり型スナップ２７の構造や機能などは周知であるから、そうした点の説明は省略する。
【００５３】
このコーナーユニット１ｃは、図１０に示すように冷却ファン１９に装着される。装着の手順等は実施例１と同様である。そして、実施例１と同様にコーナーユニット１ｃを筐体等に固定することで冷却ファン１９を取り付けるが、その際には矢じり型スナップ２７が使用される点で実施例１とは異なる。取付手段としての矢じり型スナップ２７がコーナーユニット１ｃの一部として備わっているので、ビス等の別部品が不要になる。その他、実施例１と同様の効果を奏する。
［実施例５］
実施例１〜４は複数のコーナーユニットを１組として冷却ファンホルダを構成する例であるが、複数のコーナーユニットを相互に連結して冷却ファンホルダとすることができる。その一例を図１１に示す。
【００５４】
図１１に示す実施例５は、実施例１のコーナーユニット１を４個、ベルト部２８にて相互に連結して、枠状の冷却ファンホルダ３０を構成している。また、ベルト部２８の内周面には、各コーナーユニット１の防振材１７と一連の防振材２９がライニングされている。
【００５５】
冷却ファンホルダ３０を冷却ファン１９に装着するには、まず各コーナーユニット１の開閉部１０を開放位置にしておき、枠状の冷却ファンホルダ３０の内側に冷却ファン１９を差し込む。次に、開閉部１０を閉塞位置に変位させ、弾性係脱片１３の係止用開口１５を係止突起１４に係止させることで閉塞位置を維持させる。
【００５６】
このようにして冷却ファン１９に冷却ファンホルダ３０を装着してから、ビス２６にて取付基部７を取り付け相手（電子機器の筐体等）に固定する。
【００５７】
その冷却ファン１９が冷却ファンホルダ３０に保持された状態では、アングル部４の内面、閉塞部５の内面、開閉部１０の閉塞位置になったときに閉塞部５と対面する面及びベルト部２８の内面にライニングされた防振材１７、１８、２９が、冷却ファン１９の振動を防止する。
【００５８】
このように、冷却ファンホルダ３０を冷却ファン１９に取り付けておいて、その冷却ファンホルダ３０を筐体等に固定することで冷却ファン１９を装着する構成であるから、冷却ファン１９に組み付ける際に防振材がめくれる等の不具合は生じず、作業性は良好になる。
【００５９】
また、冷却ファン１９に開設された取付孔２５は使用しないので、冷却ファン１９のメーカーや型式による取付孔２５の位置変化の影響は受けない。
【００６０】
そして、アングル部４の内面、閉塞部５の内面、開閉部１０の閉塞位置になったときに閉塞部５と対面する面及びベルト部２８の内面に防振材１７、１８、２９がライニングされているので、冷却ファン１９の外形寸法に多少の誤差があっても、冷却ファン１９が「がたつく」おそれはない。
【００６１】
なお、冷却ファンホルダにて冷却ファン１９を保持した後でも、係止手段（弾性係脱片１３と係止突起１４）による係止を解除して開閉部１０を開放位置にすれば冷却ファン１９を抜き取ることができる。
【００６２】
言うまでもないが、ビス２６を外せば冷却ファンホルダ３０と共に冷却ファン１９を筐体等から取り外せるし、その取り外し後に冷却ファンホルダ３０を冷却ファン１９から分離することもできる。
【図面の簡単な説明】
【００６３】
【図１】実施例１のコーナーユニットの平面図（ａ）、背面図（ｂ）、左側面図（ｃ）、正面図（ｄ）、右側面図（ｅ）、底面図（ｆ）、斜視図（ｇ）。
【図２】実施例１のコーナーユニットを閉じた状態の平面図（ａ）、Ａ−Ａ断面図（ｂ）、背面図（ｃ）、左側面図（ｄ）、正面図（ｅ）、右側面図（ｆ）、底面図（ｇ）、斜視図（ｈ）。
【図３】冷却ファンホルダの例１を説明するための平面図（ａ）、正面図（ｂ）、斜視図（ｃ）。
【図４】冷却ファンホルダの例２を説明するための平面図（ａ）、正面図（ｂ）、斜視図（ｃ）。
【図５】実施例２のコーナーユニットの平面図。
【図６】実施例２のコーナーユニットによる冷却ファンホルダを説明するための正面図。
【図７】実施例３のコーナーユニットの平面図（ａ）、正面図（ｂ）、右側面図（ｃ）、底面図（ｄ）、斜視図（ｅ）。
【図８】実施例３のコーナーユニットによる冷却ファンホルダを説明するための正面図。
【図９】実施例４のコーナーユニットの平面図（ａ）、正面図（ｂ）、右側面図（ｃ）、底面図（ｄ）、斜視図（ｅ）。
【図１０】実施例４のコーナーユニットによる冷却ファンホルダを説明するための平面図（ａ）、正面図（ｂ）、斜視図（ｃ）。
【図１１】実施例５の冷却ファンホルダを説明するための平面図（ａ）、背面図（ｂ）、正面図（ｃ）、右側面図（ｄ）、斜視図（ｅ）。
【符号の説明】
【００６４】
１、１ａ、１ｂ、１ｃ・・・コーナーユニット、
２・・・取付け板、
２ａ、２ｂ・・・壁部、
３・・・アール部、
４・・・アングル部、
５・・・閉塞部、
７・・・取付基部、
９、９ａ・・・ヒンジ部、
１０・・・開閉部、
１１・・・Ｌ字部、
１１ａ・・・腕状部分、
１２・・・三角部、
１３・・・弾性係脱片、
１４・・・係止突起、
１５・・・係止用開口、
１６・・・遮蔽部材、
１７、１８、２９・・・防振材、
１９・・・冷却ファン、
２０・・・ケース、
２４・・・隅部、
２６・・・ビス、
２７・・・矢じり型スナップ、
２８・・・ベルト部、
３０・・・冷却ファンホルダ。
【図１】
2010127307.tif 000003
【図２】
2010127307.tif 000004
【図３】
2010127307.tif 000005
【図４】
2010127307.tif 000006
【図５】
2010127307.tif 000007
【図６】
2010127307.tif 000008
【図７】
2010127307.tif 000009
【図８】
2010127307.tif 000010
【図９】
2010127307.tif 000011
【図１０】
2010127307.tif 000012
【図１１】
2010127307.tif 000013